(57)【要約】      （修正有）【課題】押圧子の力加減を自在に調節でき、精妙な指圧効果が得られ、かつ、温熱効果を得ることができる孫の手型指圧器を提供する。【解決手段】上方に位置する円弧状部に連結して下方に伸延する直線部が、略「？」字状に湾曲して形成された金属管からなり、円弧状部の先端には押圧子が備わり、直線部は略中央において、円弧状部と同一平面内にて且つ反対方向へ向かって屈曲した「く」の字状部として形成されており、「く」の字状部の下端部から円弧状部にかけて複数の握り部を備える。【選択図】図１
0003159973.tif 000002
【実用新案登録請求の範囲】
【請求項１】
略「？」字状（クエスチョンマークの形、以下同様）に湾曲して形成された金属管からなり、上方に位置する円弧状の端部には押圧子が備わり、下方に位置する直線部の略中央において、前記円弧状部と同一平面内にて且つ反対方向へ向かって屈曲した「く」の字状部が形成されており、前記「く」の字状部の下端部から前記円弧部にかけて複数の握り部を備えたことを特徴とする孫の手型指圧器。
【請求項２】
前記押圧子が、内部に発熱素子を備えた発熱室と、内部に隙間を備えて前記発熱室の先端に設けられた温灸ヘッドとによって構成されており、前記温灸ヘッドの中央先端には指圧用疑似指が隆起しており、且つ前記疑似指近傍の周囲には複数の通気孔が設けられ、内部の隙間空間へ通じていることを特徴とする請求項１に記載の孫の手型指圧器。
【請求項３】
請求項１に記載の前記金属管からなり、上方に位置する「？」字円弧状の端部には吸盤が備わり、請求項１に記載の「く」字状の屈曲部及び複数の握り部を備えたことを特徴とする孫の手型吸引器。
【考案の詳細な説明】
【技術分野】
【０００１】
本考案は、両手で操作して自らの背中を指圧しながら温灸することによって、また、吸盤を用いて自らの背中を吸引刺激することによって、身体のこりをほぐし且つ血流を促して、身体を活性化することが容易にできる器具に関するものである。
【背景技術】
【０００２】
従来、背中を掻くための道具としては孫の手がある。この孫の手は、片手でその基端部を掴み、肩越しに皮膚と衣類との間に差し込んで、その先端部を痒いところにあてがい、上下方向に移動させて掻くものである。
【０００３】
この孫の手は、肩越しに差し込むものであるため、肩や腕を無理に大きく動かす必要がある。従って、例えば、肩や腕を大きく動かすことのできない高齢者等にとってはきわめて使用勝手の悪い道具である。然しながら、自分の背中を掻く、さする、押す、刺激するなどの要求は、高齢者や身体の不自由を感じている人ほど多くなるので、操作のし易さや、刺激効果の向上が求められているところである。例えば片手で掴むのではなく両手操作ができるようにすることによってつぼの位置に容易に当てること、また力加減が容易にできることなどである。また、直接背中に当接する部位を工夫することによって効果の向上を図ることも可能である。
【先行技術文献】
【特許文献】
【０００４】
【特許文献１】実用新案登録第３０９３７５９号
【０００５】
実用新案登録第３０９３７５９号  背掻き揉み器  によれば、
本考案に係る背掻き揉み器１は、人体Ｍの前側に位置させる湾曲棒状の前棒部２の後端に、人体Ｍの脇腹近くを通して後側に位置させる湾曲棒状の後棒部３を折返し状に連設して略Ｕ字状とし、前記前棒部２の前端部に、一方の手で握る膨出状の第一把持部２ａを形成すると共に、当該前棒部２の略中間部分を他方の手で握る第二把持部２ｂとし、前記後棒部３の先端部に、背中Ｂの痒いところ、または指圧したいところにあてがう湾曲肉細状の当接部４を連結してなる。
【特許文献２】実用新案登録第３０９１７２９号
【０００６】
実用新案登録第３０９１７２９号  Ｄ字フープ形状指圧器具  によれば、
人体を包囲できうる環状または半環状パイプの一辺に指圧球を取付けた事を特徴とする指圧器具として考案したものであって、人体を包囲できる環形状とし、上腕力による運動を背面指圧部位に効率良く伝える形式とすると共に、指圧部である指圧球の着脱操作をワンタッチで容易に行えるようにし、また軽量アルミパイプフレーム構造により運動負荷の軽減を図ったものである。
剛一体構造のため、指圧部位の選定及び位置決めが柔構造または据置型のものに比べ容易である。また、指圧球を複数または環形状の適宜の部位に装着することができ、さらに人体を包囲できる大きさであるため様々な角度方向からの使用が可能であり、自由度が高いと云う効果を図っている。
【考案の概要】
【考案が解決しようとする課題】
【０００７】
本考案は、指圧及び温灸の「つぼ」の多くが背中に位置することに着目し、自らの背中の「つぼ」を容易に探り当て、且つ押圧する力加減が自在に調節できる孫の手型指圧器の形状を考案したものである。また押圧子の構成素子を工夫することで、遠赤外線の発熱作用や百草による温灸作用を促し、身体のこりをほぐす効果、血流をよくする効果を得るための課題を解決しようとするものである。
【課題を解決するための手段】
【０００８】
略「？」字状（クエスチョンマークの形、以下同様）に湾曲して形成された金属管からなり、上方に位置する円弧状の端部には押圧子が備わり、下方に位置する直線部の略中央において、前記円弧状部と同一平面内にて且つ反対方向へ向かって屈曲した「く」の字状部が形成されており、前記「く」の字状部の下端部から前記円弧部にかけて複数の握り部を備えたことを特徴とする孫の手型指圧器を構成するための手段であり、また、
【０００９】
前記押圧子が、内部に発熱素子を備えた発熱室と、内部に隙間を備えて前記発熱室の先端に設けられた温灸ヘッドとによって構成されており、前記温灸ヘッドの中央先端には指圧用疑似指が隆起しており、且つ前記疑似指近傍の周囲には複数の通気孔が設けられ、内部の隙間空間へ通じているよう構成することによって解決する手段であり、また、
【００１０】
前記金属管からなる形状であって、上方に位置する「？」字円弧状の端部には吸盤が備わり、前記の「く」字状の屈曲部及び複数の握り部を備えたことを特徴とする孫の手型吸引器により解決する手段である。
【考案の効果】
【００１１】
本考案による略「？」字状に形成された「孫の手」形状において、上方円弧状の端部には押圧子が備わり、下方に位置する直線部の略中央において、前記円弧状部と同一平面内にて且つ反対方向へ向かって屈曲した「く」の字状部が形成されており、且つ、複数の握り部を備えていることにより、次のような効果が得られる。
先ず、「孫の手」の下端の握り部と、中央近傍の握り部とを両手で操作することにより、押圧子の位置を自在に移すことができ自らの背中の「つぼ」を容易に探り当てられることである。更には、中央近傍の握り部を梃子の基点として押圧することができるので、押圧子の力加減が自在に調節でき、精妙な指圧効果がえられる。また、指圧型の押圧子に替えて吸盤型の吸引子を用いた請求項３の「孫の手」の場合においても、背中に押しつける、そして引き剥がす操作が容易にできると云う効果を発揮する。
【００１２】
そして、押圧子が内部に発熱素子を備えた発熱室と、内部に隙間を備えて前記発熱室の先端に設けられた温灸ヘッドとによって構成されていることにより、次のような効果が得られる。
先ず、押圧子の先端に設けられた温灸ヘッドの素材がチタン或いはセラミックスであって、遠赤外線を発生して発熱することによる効果。また、内部の隙間に百草を詰めた温灸ヘッド後方の発熱室の素子が発熱することによって、百草の精油成分が誘発されてより一層温熱効果が高まる効果を併用することができる。
このように、身体のつぼを指圧しながら、温度４０〜４２℃で温灸することにより、身体のこりがほぐれ、温度により血流が良くなり、身体が活性化される。
【図面の簡単な説明】
【００１３】
【図１】実施例１による孫の手型指圧器の側面図及び補助図
【図２】実施例１による温灸ヘッドを示す二面図
【図３】実施例２による孫の手型吸引器の吸盤４５を示す二面図
【考案を実施するための形態】
【００１４】
以下、本考案の実施例について図面を参照しながら説明する。
【実施例１】
【００１５】
図１は本実施例による孫の手型指圧器の側面図及び補助図であり、図２は温灸ヘッド２１を示す二面図である。
金属中空管から略「？」字状に湾曲して形成されており、上方に位置する「？」字状の円弧状部１１の端部には押圧子２０が備わる。下方に位置する「？」字直線状の部分は、前記円弧状部１１と反対方向へ向かって同一平面内（図１の側面図内）で略「く」字状に屈曲して、「く」の字状部１５が形成されている。前記「く」の字状部１５の下端部から前記円弧状部１１にかけて複数の握り部Ａ３１及び握り部Ｂ３２を備えており、使用者が自身の背中に前記円弧状部先端の押圧子２０を当接させるべく、両手で両握り部Ａ３１、握り部Ｂ３２を握って操作することができる。
金属中空管は、高力アルミニウム管を用いて曲げ加工により成形したものである。
【００１６】
前記円弧状部１１の先端に備わる前記押圧子２０は、連設された発熱室２５及び温灸ヘッド２１とによって構成されており、前記発熱室２５内部の隙間空間には発熱素子が嵌め込まれており、本実施例の素子には発熱ランプ２６が用いられている。
先端に位置する温灸ヘッド２１の内部にも隙間空間２２が設けられており、この空間に温灸用百草を詰めることができ、且つ温灸ヘッド２１の着脱によって容易に詰め替え可能である。
【００１７】
前記握り部Ａ３１の下方端部には発熱ランプ２６の入り切りスイッチ３５が設けられており、スイッチ３５を入れると発熱室２５内の発熱ランプ２６が点灯し発熱する。発生した熱が温灸ヘッド２１に伝導して隙間空間２２内を加熱すると、百草の精油成分が誘発されることになる。また、
温灸ヘッド２１はチタン或いはセラミックスから加工形成されたものを用いる。これによっても遠赤外線の発生による発熱を促すことになり、発熱ランプ２６による加熱と相まってより一層温熱効果が高まる効果を併用することになる。
温灸ヘッド２１の先端には指圧用疑似指２３が隆起しており、疑似指２３近傍の周囲には複数の通気孔２４が設けられ、内部の隙間空間２２へ通じている。発熱ランプ２６の加熱により誘発された百草の精油成分が前記通気孔２４から抜け出て指圧つぼを刺激し、浸透して身体が活性化されるよう構成する。
【実施例２】
【００１８】
図３は実施例２による孫の手型吸引器の吸盤４５を示す二面図である。
実施例１と同様に、金属中空管から略「？」字状に湾曲して形成されており、上方に位置する円弧状部の端部には吸盤４５が備わる。下方に位置する「く」の字状部が形成され、複数の握り部Ａ及び握り部Ｂを備えることは実施例１と同様である。
【符号の説明】
【００１９】
１１      「？」字状の円弧状部
１５      「く」の字状部
２０      押圧子
２１      温灸ヘッド
２２      隙間空間
２３      指圧用疑似指
２４      通気孔
２５      発熱室
２６      発熱ランプ
３１      握り部Ａ
３２      握り部Ｂ
４５      吸盤
【図１】
0003159973.tif 000003
【図２】
0003159973.tif 000004
【図３】
0003159973.tif 000005
【手続補正書】
【提出日】平成22年3月30日(2010.3.30)
【手続補正１】
【補正対象書類名】実用新案登録請求の範囲
【補正対象項目名】請求項１
【補正方法】変更
【補正の内容】
【請求項１】
上方に位置する円弧状部に連結して下方に伸延する直線部が、略「？」字状（クエスチョンマークの形）に湾曲して形成された金属管からなり、前記円弧状部の先端には押圧子が備わり、前記直線部は略中央において、前記円弧状部と同一平面内にて且つ反対方向へ向かって屈曲した「く」の字状部として形成されており、前記「く」の字状部の下端部から前記円弧状部にかけて複数の握り部を備えたことを特徴とする孫の手型指圧器。
【手続補正２】
【補正対象書類名】実用新案登録請求の範囲
【補正対象項目名】請求項３
【補正方法】変更
【補正の内容】
【請求項３】
上方に位置する円弧状部に連結して下方に伸延する直線部が、略「？」字状（クエスチョンマークの形）に湾曲して形成された金属管からなり、前記円弧状部の先端には吸盤が備わり、前記直線部は略中央において、前記円弧状部と同一平面内にて且つ反対方向へ向かって屈曲した「く」の字状部として形成されており、前記「く」の字状部の下端部から前記円弧状部にかけて複数の握り部を備えたことを特徴とする孫の手型吸引器。
【手続補正３】
【補正対象書類名】明細書
【補正対象項目名】０００７
【補正方法】変更
【補正の内容】
【０００７】
上方に位置する円弧状部に連結して下方に伸延する直線部が、略「？」字状（クエスチョンマークの形）に湾曲して形成された金属管からなり、前記円弧状部の先端には押圧子が備わり、前記直線部は略中央において、前記円弧状部と同一平面内にて且つ反対方向へ向かって屈曲した「く」の字状部として形成されており、前記「く」の字状部の下端部から前記円弧部にかけて複数の握り部を備えたことを特徴とする孫の手型指圧器を構成するための手段であり、また、
【手続補正４】
【補正対象書類名】明細書
【補正対象項目名】０００９
【補正方法】変更
【補正の内容】
【０００９】
上方に位置する円弧状部に連結して下方に伸延する直線部が、略「？」字状（クエスチョンマークの形）に湾曲して形成された金属管からなり、前記円弧状部の先端には吸盤が備わり、前記直線部は略中央において、前記円弧状部と同一平面内にて且つ反対方向へ向かって屈曲した「く」の字状部として形成されており、前記「く」の字状部の下端部から前記円弧部にかけて複数の握り部を備えたことを特徴とする孫の手型吸引器により解決する手段である。
【手続補正５】
【補正対象書類名】明細書
【補正対象項目名】００１０
【補正方法】変更
【補正の内容】
【００１０】
本考案による略「？」字状に形成された「孫の手」形状において、上方に位置する円弧状部の先端には押圧子が備わり、下方に位置する直線部の略中央において、前記円弧状部と同一平面内にて且つ反対方向へ向かって屈曲した「く」の字状部が形成されており、且つ、複数の握り部を備えていることにより、次のような効果が得られる。
先ず、「孫の手」の下端の握り部と、中央近傍の握り部とを両手で操作することにより、押圧子の位置を自在に移すことができ自らの背中の「つぼ」を容易に探り当てられることである。更には、中央近傍の握り部を梃子の基点として押圧することができるので、押圧子の力加減が自在に調節でき、精妙な指圧効果がえられる。また、指圧型の押圧子に替えて吸盤型の吸引子を用いた請求項３の「孫の手」の場合においても、背中に押しつける、そして引き剥がす操作が容易にできると云う効果を発揮する。
【手続補正６】
【補正対象書類名】明細書
【補正対象項目名】００１３
【補正方法】変更
【補正の内容】
【００１３】
図１は本実施例による孫の手型指圧器の側面図及び補助図であり、図２は温灸ヘッド２１を示す二面図である。
金属中空管から略「？」字状に湾曲して形成されており、上方に位置する「？」字状の円弧状部１１の先端には押圧子２０が備わる。下方に位置する「？」字直線状の部分は、前記円弧状部１１と反対方向へ向かって同一平面内（図１の側面図内）で略「く」字状に屈曲して、「く」の字状部１５が形成されている。前記「く」の字状部１５の下端部から前記円弧状部１１にかけて複数の握り部Ａ３１及び握り部Ｂ３２を備えており、使用者が自身の背中に前記円弧状部先端の押圧子２０を当接させるべく、両手で両握り部Ａ３１、握り部Ｂ３２を握って操作することができる。
金属中空管は、高力アルミニウム管を用いて曲げ加工により成形したものである。